(57)【特許請求の範囲】
【請求項１】
コンピュータにより、水への投資に関して水の安定したインデックス値を作成する方法であって、前記コンピュータのプロセッサにより実行される工程が、
・前記コンピュータのメモリに、製品の価格、前記製品に物理的に含まれる水量、及び前記製品を生産するために利用される水量、を記憶させるステップと、
・前記製品の価格に基づき、さらに、前記製品に物理的に含まれる水量と前記製品を生産するために利用される水量とのうちの少なくとも１つの水量に基づき、水のインデックス値を決定するステップと、
を含む方法。
【請求項２】
前記プロセッサを用いて、前記価格を前記水のインデックス値と前記水の特定量とから計算することにより、水の特定量に関して発行可能な金融証券の価格を決定するステップと、
前記水量を特定する金融証券をデジタル表示装置により表示するステップであって、前記金融証券の価格が、前記特定される水量および前記水のインデックス値の関数である、ステップと、
をさらに含む、請求項１に記載の方法に基づく投資方法。
【請求項３】
前記金融証券に前記特定される水量の担保として、水を用いるステップをさらに含む、請求項２に記載の方法。
【請求項４】
コンピュータにより、水の安定した価格を取得する方法であって、前記コンピュータのプロセッサにより実行される工程が、
・前記コンピュータのメモリに、前記少なくとも１つの製品の価格と前記少なくとも1つの製品に物理的に含まれる水量とを記憶させるステップと、
・前記少なくとも１つの製品の価格に基づき、さらに前記少なくとも１つの製品に物理的に含まれる水量に基づき、水のインデックス値を決定するステップと、
を含む方法。
【請求項５】
前記コンピュータのプロセッサにより実行される工程が、
前記コンピュータのメモリに、前記少なくとも１つの製品を生産するために利用される水量を記憶させるステップと、
前記少なくとも１つの製品を生産するために利用される水量にも基づき、前記水のインデックス値を決定するステップと
をさらに含む、請求項４に記載の方法。
【請求項６】
前記少なくとも１つの製品の各々の市場重みにも基づき、前記水のインデックス値を決定するステップをさらに含む、請求項４に記載の方法。
【請求項７】
少なくとも１つの食用作物を前記少なくとも１つの製品として用いるステップをさらに含む、請求項４に記載の方法。
【請求項８】
前記コンピュータのプロセッサを用いて、前記価格を前記水のインデックス値と前記水の特定量とから計算することにより、水の特定量に関して発行可能な金融証券の価格を決定するステップと、
水量を特定する金融証券をデジタル表示装置により表示するステップであって、前記金融証券の価格が、前記特定される水量および前記水のインデックス値の関数である、ステップと、
をさらに含む、請求項４に記載の方法に基づく投資方法。
【請求項９】
前記金融証券に前記特定される水量の担保として、水を用いるステップをさらに含む、請求項８に記載の方法。
【請求項１０】
コンピュータにより、水への投資に関して安定したインデックス値を作成する方法であって、前記コンピュータのプロセッサにより実行される工程が、
・少なくとも１つの製品に物理的に含まれる水量を、前記コンピュータのメモリに記憶させるステップと、
・前記少なくとも１つの製品を生産するために利用される水量を、前記コンピュータのメモリに記憶させるステップと、
・前記少なくとも１つの製品の価格を前記コンピュータのメモリに記憶させるステップと、
・前記少なくとも１つの製品の価格に基づき、さらに（ｉ）前記少なくとも１つの製品に物理的に含まれる水量と、（ｉｉ）前記少なくとも１つの製品を生産するために利用される水量とのうち、少なくとも１つの水量に基づき、前記インデックス値を計算することにより、水のインデックス値を決定するステップと、
を含む方法。
【請求項１１】
リアルタイムで前記少なくとも１つの製品の価格に関するデータを更新するステップをさらに含む、請求項１０に記載の方法。
【請求項１２】
前記コンピュータのプロセッサにより実行される工程が、
前記価格を前記水のインデックス値と前記水の特定量とから計算することにより、水の特定量に関して発行可能な金融証券の価格を決定するステップと、
水量を特定する金融証券をデジタル表示装置により表示するステップであって、前記金融証券の価格が、前記特定される水量および前記水のインデックス値の関数であるステップと、
をさらに含む、請求項１０に記載の方法に基づく投資方法。
【請求項１３】
前記金融証券に前記特定される水量の担保として水を用いるステップをさらに含む、請求項１２に記載の方法。
【請求項１４】
コンピュータにより、水の安定した価格を取得する方法であって、
前記コンピュータのプロセッサにより実行される工程が、
・前記少なくとも１つの製品を生産するために利用される水量を前記コンピュータのメモリに記憶させるステップと、
・コンピュータのメモリに、前記少なくとも１つの製品の価格に関するデータを記憶させるステップと、
・前記少なくとも１つの製品の価格に基づき、さらに、前記少なくとも１つの製品を生産するために利用される水量に基づき、水のインデックス値を決定するステップと、
を含む方法。
【請求項１５】
前記コンピュータのプロセッサにより実行される工程が、
前記少なくとも１つの製品に物理的に含まれる水量を、前記コンピュータのメモリに記憶させるステップと、
前記少なくとも１つの製品に物理的に含まれる水量にも基づき、前記インデックス値を決定するステップと
をさらに含む、請求項１４に記載の方法。
【請求項１６】
前記コンピュータのプロセッサにより実行される工程が、前記価格を前記水のインデックス値と前記水の特定量とから計算することにより、水の特定量に関して発行可能な金融証券の価格を決定するステップと、
水量を特定する金融証券をデジタル表示装置により表示するステップであって、前記金融証券の価格が、前記水量および前記水のインデックス値の関数である、ステップと
をさらに含む、請求項１４に記載の方法に基づく投資方法。
【請求項１７】
前記金融証券に前記特定される水量の担保として水を用いるステップをさらに含む、請求項１６に記載の方法。
【請求項１８】
前記少なくとも１つの製品の各々の市場重みにも基づき、水のインデックス値を決定するステップをさらに含む、請求項１４に記載の方法。
【請求項１９】
コンピュータを用いた、水の安定価格に基づく水の取引に利用される方法であって、
前記コンピュータの計算手段が、
少なくとも１つの他の製品の価格に基づき、
（ｉ）前記少なくとも１つの他の製品に含まれる水量、及び、
（ｉｉ）前記少なくとも１つの他の製品を生産するために利用される水量、
とのうち、少なくとも１つの水量に基づき、水のインデックス値を決定するステップと；
前記コンピュータの金融処理手段が、
水を担保として利用する金融証券をデジタル表示装置上に表示し、
前記金融証券の各々に水の特定量を特定し、前記金融証券の各々の価格を前記水のインデックス値と前記水の特定量とに基づいて決定するステップと；
を含む、方法。
【請求項２０】
前記水のインデックス値が、前記少なくとも１つの他の製品の生産に利用される水量と、前記少なくとも１つの他の製品に含まれる水量との両方の水量に基づき、前記計算手段により決定されるステップを更に含む、請求項１９に記載の方法。
【請求項２１】
前記水のインデックス値を、前記水の品質にも基づき前記計算手段により決定するステップを更に含む、請求項１９に記載の方法。
【請求項２２】
表示手段に前記水のインデックス値を表示するステップを更に含む、請求項２１に記載の方法。
【請求項２３】
コンピュータにより、１つ以上の製品の価格から水の安定価格を作成するためのシステムであって、前記システムが、
・少なくとも１つの取引される製品に含まれる水量と、前記少なくとも１つの取引される製品の生産に利用される水量とのうちの少なくとも１つの水量を記憶し、及び前記少なくとも１つの取引される製品の更新可能な前記価格を記憶するコンピュータのメモリ手段と、
・前記少なくとも１つの取引される製品の価格に基づき、及び（ｉ）前記少なくとも１つの取引される製品に含まれる水量と（ｉｉ）前記少なくとも１つの取引される製品の生産に利用される水量とのうちの少なくとも１つの水量に基づき、水のインデックス値を計算するコンピュータの処理手段と、
を含むシステム。      
【請求項２４】
前記処理手段は、前記少なくとも１つの各取引される製品の市場重みにも基づき、水のインデックス値を計算するように構成された、請求項２３に記載のシステム。
【請求項２５】
前記市場重みについて更新可能なデータは、地理的地域に関するデータである、請求項２４に記載のシステム。
【請求項２６】
前記水の安定価格を製品として利用するように構成された、水源からなる担保に関連する金融証券の表示手段をさらに備えた、請求項２３に記載のシステム。
【請求項２７】
前記処理手段は、前記少なくとも１つの取引される製品に含まれる水量と、前記少なくとも１つの取引される製品の生産に利用される水量と、前記少なくとも１つの取引される製品の価格とから、前記水のインデックス値を計算するように構成された、請求項２３に記載のシステム。
【請求項２８】
前記処理手段は、前記水の品質にも基づき、前記インデックス値を計算するように構成された、請求項２３に記載のシステム。
【請求項２９】
前記メモリ手段は、また、前記少なくとも１つの取引される製品に物理的に含まれる水量と、前記少なくとも１つの取引される製品の生産に利用される水量と、のうちの少なくとも１つの水量を記憶するように構成された、請求項２３に記載のシステム。
【請求項３０】
前記少なくとも１つの取引される製品は、公に取引される製品である、請求項２３に記載のシステム。
【請求項３１】
前記少なくとも１つの取引される製品は、少なくとも１つの農業製品である、請求項２３に記載のシステム。
【請求項３２】
前記少なくとも1つの取引される製品は、農業製品、生産製品、および燃料のうちの少なくとも１つの製品を含む、請求項２３に記載のシステム。
【請求項３３】
前記インデックス値は、さらに、前記少なくとも１つの取引される製品からの出力量と、前記少なくとも１つの取引される製品の構成量に依存する、請求項２３に記載のシステム。
【請求項３４】
前記少なくとも１つの取引される製品の生産に利用される前記水量は、前記各取引される製品の一部である水量を含まない、請求項２３に記載のシステム。
【請求項３５】
前記記載された水量と前記インデックス値とから、水量を記載した金融証券の価格を計算する処理手段をさらに備えた、請求項２３に記載のシステム。
【請求項３６】
コンピュータを用いた、水に投資するために金融証券を利用する方法であって、前記コンピュータの処理手段が、少なくとも１つの取引可能製品の価格に基づき、さらに、（ｉ）前記少なくとも１つの取引可能製品に物理的に含まれる水量と、（ｉｉ）前記少なくとも１つの取引可能製品を生産するために利用される水量のうちの少なくとも１つの水量に基づき、前記インデックス値を計算することにより、水のインデックス値を決定するステップと、さらに、
前記水のインデックス値と、前記水の特定量から前記価格を計算することにより、水の特定量に対して発行可能な金融証券の価格を決定するステップと、
前記コンピュータの金融処理手段が、前記水の特定量を特定する金融証券を表示装置に表示するステップと、
を含む、方法。
【請求項３７】
前記金融証券により特定される水量の担保として水を用いるステップをさらに含む、請求項３６に記載の方法。
【請求項３８】
前記計算手段が、前記少なくとも１つの他の製品の各々の市場重みにも基づき、前記価格を決定するステップを更に含む、請求項１９に記載の方法に基づく投資方法。
【請求項３９】
前記金融証券に特定される水量の担保として水を用いるステップをさらに含む、請求項１９に記載の方法。
【請求項４０】
前記水の品質にも基づき前記インデックス値を決定するステップをさらに含む、請求項１に記載の方法。
【発明の詳細な説明】
【技術分野】
【０００１】
発明の分野および背景
商品に投資する様々な方法およびシステムが可能であり、特に、方法およびシステムにより、安定したインデックス価格を決定し、投資家への投資として商品を使用すると共に、商品の保有者が商品を開発するための資本を生み出すことができる。
【背景技術】
【０００２】
多くの投資家は、インフレに対する防衛策として商品への投資を選ぶ。商品投資をより安全にするために、多くの投資家は、インデックス付きの商品に投資することを好む。インデックスは、複数の供給者での価格に基づく複合的な代表価格を与える。これにより、投資家は、市場での局所不安定性に曝されることなく、商品に投資することができる。
【０００３】
特に、ますます乏しくなりつつあり、極めて重要な、代わりになるものがない真水は、投資に非所に望ましい商品である。さらに、水を取得し、精製し、配布する工場を建てるためにも、投資マネーが必要とされる。他方、水の市場は、局所要因による影響を強く受け、価格は場所毎に激しく変動する。一時的に、水の供給および需要が、短期事象により非常に激しく変動することもある。米国内での水の価格は、０．１６〜１．３５米ドル／ｍ３であり、ドイツでは１．８０米ドル／ｍ３であり、フィンランドでは０．５０米ドル／ｍ３であり、サウジアラビアでは脱塩水が４．００米ドル／ｍ３である。したがって、水に対して安全に投資するために、投資家は追加の保護を必要とする。
【０００４】
水が豊富にある多くのエリアでは、水は非常に貴重な商品であるが、市場価値がなく、現在、ローンの安全対策として販売、利用、または使用することができないため、発展せず、浪費される。したがって、水の保有者（例えば、地方政府または水源を有する土地所有者）は、多くの場合、貴重な水資源を破壊する場合であっても、素早く利益をもたらす事業を開発することを選ぶ。仮に世界の水市場が作られたならば、水資源は、ローンを保証するために有用で価値ある資産になると共に、水資源の保護向上を促進させるであろう。さらに、水市場の発展により、水保有者が、水資源を開発するために必要な投資資本を生み出すことも可能になる。
【０００５】
水の統合市場を発展させることにおける主要な問題は、商品として高度に規制された水の性質に結び付けられる。水の政治的および経済的な重要性により、水の希少性を軽減する政策の道具としての取引の潜在性が制限される。国および地方の政府は、一方では、水の解約手数料、一定率課税、累進課税を使用し、他方では、地方の水供給源を保護するため、または水集約的な産業（農業のように）を促進するための水の助成を使用する。広範囲の価格（例えば、０．１６〜４．００米ドル／ｍ３）、解約手数料（例えば、オーストラリア内の異なる州で０〜７０％）、および税率（例えば、イスラエルでは１０〜５０％の累進課税および３０％の農業のための助成）を有するため、誰も水の安定した国際市場を構築することができなかった。
【０００６】
これは、新鮮な水が欧州の裁判所では商品として認識されており、供給が限られ、需要が増大しつつある必須商品（ひいては、望ましい投資［例えば、（非特許文献１）を参照のこと］）であり、かつ水資源の開発に投資資本がかなり必要とされる［例えば、（非特許文献２）を参照のこと］にもかかわらず、誰も水の安定した投資証券を構築することができなかった状況を生み出した。小麦、トウモロコシ、石油、または金のような公に取引される商品にはあるような統合された世界市場は、水の場合にはない。水の価格（Ｓ＆Ｐは５０社の価格を使用する）に基づく投資証券はない。水のインデックス、水の先物、または任意の主要な株取引での商品としての水は公に取引されていない。
【先行技術文献】
【非特許文献】
【０００７】
【非特許文献１】Forbs.comに２００８年６月１９日にWilliam Pentlandにより発表された記事「Inventing Water's Future」
【非特許文献２】Paul Van Hofwegenによる２００６年のWorld Water council, World Water Forum Task Force on Financing Water for All, Report I
【発明の概要】
【発明が解決しようとする課題】
【０００８】
したがって、安定した自由市場価格に基づく水の投資証券を有することに対する必要性が広く認識されていると共に、それを有することが非常に有利であろう。
【課題を解決するための手段】
【０００９】
投資証券および投資方法を提供する様々な方法およびシステムが可能である。特に、システムまたは方法は、価値は自由に取引される製品の価格に反映されるため、物質の仮想価値に基づいて物質の自由市場価格を決定することにより、物質への投資に役立ち得る。
【００１０】
商品への安定した投資証券の実施形態（金融証券は、例えば、債権、証書、先物、株、バスケットを含み得る）は、有価値物質を有する担保を含み得る。証券は、製品の価格に対する物質の価格の影響に従って計算される物質の仮想価値をさらに含み得る。
【００１１】
投資証券の実施形態では、有価値物質は、仮想価値が計算される製品が自由市場価格を有する公に取引される商品であり得ながら、取引での物質の価格が非市場要因（政府の助成、独特な税［例えば、消費税、一定率の税、累進制の税、および輸出料］、または規制等）により強く影響されるように調整され得る。
【００１２】
投資証券の実施形態では、担保の価値のある物質は真水であり得る。
【００１３】
投資証券の実施形態では、仮想価値は、農業商品、製造商品、および燃料（例えば、生物燃料）のうちの１つまたは複数から計算される。
【００１４】
投資証券の実施形態では、物質の仮想価値は、以下の要因のうちの１つまたは複数にさらに依存し得る。すなわち、製品内の物質の量、製品を製造するために利用される物質の量、および製品から生み出される出力の量（例えば、製品を燃焼することから出力されるエネルギー量、製品を利用した副産物として生産される物質の量）である。
【００１５】
投資証券の実施形態では、仮想価値は製品の市場でのウェイトにさらに依存し得る。
【００１６】
投資方法の実施形態は、物質のインデックス値を計算することを含み得る。インデックス値は、少なくとも部分的に物質の仮想価値に依存し得る。仮想価値は、物質の製品価格に対する物質の価格の影響に基づいて計算することができる。
【００１７】
投資方法の実施形態は、物質のインデックス値に従って物質を含む担保への権利を取得することをさらに含み得る。
【００１８】
投資方法の実施形態では、インデックス値が計算された物質の取引は規制され得るが、その一方で、仮想価格が計算された製品は公に取引される商品であり得る。
【００１９】
投資方法の実施形態では、インデックス価格が計算される物質は真水であり得る。
【００２０】
投資方法の実施形態では、仮想価格が計算される製品は、以下のうちの１つまたは複数であり得る。すなわち、農業商品、製造商品、および燃料である。
【００２１】
投資方法の実施形態では、インデックス値を計算することは、製品内に含まれる物質の量を評価すること、製品を製造するために利用される物質の量を評価すること、および製品からの出力量を評価することのうちの１つまたは複数を利用し得る。
【００２２】
担保の取引方法の一実施形態は、担保物質のインデックス値に基づいて、担保の市場価値を特定することを含み得る。インデックス値は、少なくとも部分的に製品内の物質の仮想価値に基づく式を使用して計算することができる。
【００２３】
担保の取引方法の一実施形態は、担保の市場価値に従って担保に対する権利を取引することをさらに含み得る。
【００２４】
担保を取引する方法の実施形態では、担保物質の取引は規制され得る一方で、仮想価値の計算に使用される製品は、公に取引される商品であり得る。
【００２５】
担保を取引する方法の実施形態では、担保物質は真水であり得る。
【００２６】
担保を取引する方法の実施形態では、製品は、農業商品、製造商品、および燃料のうちの１つまたは複数を含み得る。
【００２７】
担保を取引する方法の実施形態では、仮想価値は、製品内の物質の量、製品を製造するために利用される物質の量、および製品からの出力量のうちの１つまたは複数にさらに依存し得る。
【００２８】
投資を管理するシステムの実施形態は、物質の仮想価値を記憶するように構成されたメモリと、プロセッサとを含み得る。プロセッサは、少なくとも１つの製品内の物質の仮想価値を計算すると共に、担保のインデックス値を計算するように構成され得る。物質のインデックス値は、物質の仮想価値に部分的に依存し得る。
【００２９】
投資を管理するシステムの実施形態では、物質は規制される商品であり得、製品は自由に取引される商品であり得る。
【００３０】
投資を管理するシステムの実施形態では、物質は真水であり得る。
【００３１】
投資を管理するシステムの実施形態では、製品は、農業商品、製造商品、および燃料のうちの１つまたは複数を含み得る。
【００３２】
投資を管理するシステムの実施形態では、メモリは、製品内の物質の量、製品を製造するために利用される物質の量、および製品からの出力量のうちの１つまたは複数を記憶するようにさらに構成され得る。
【００３３】
用語
以下の用語は、当業者には既知であると理解される明白な意味に従って本願において使用される。しかし、本願の主旨をさらに明確にするために、これら用語が本明細書においてどのように使用され得るか、または適用され得るかについて、以下の説明、詳細、および例示が与えられる。以下の説明、詳細、および例示が、例示または代表として解釈されるべきであり、排他的または限定として解釈されるべきではないことを理解されたい。むしろ、以下に考察する用語は、通常の意味および以下の考察と一致して、可能な限り広義に解釈されるべきである。
・担保権利の取得は、担保からの恩益を導出する権利を受けることを意味する。
・担保権利の取引は、何等かの支払いまたは恩益の見返りとして、担保からの恩益に対する権利を譲渡することを意味する。
・物質の製品は、物質の利用に関連する物品または材料である（例えば、物質を製品の製造に利用し得るか、または物品を市場に出すために物質を利用し得る）。（その結果、製品のコストは、物質のコストによる影響を受け得る。物資は、それ自体の製品とみなすこともできる）。
・担保物質は、担保から導出可能な一般的価値を有する何かである。
・物質の仮想価値は、物質の製品のコストに対する物質の価値の影響を計算するか、または商品の代替物である製品のコストに対する物質のコストの影響を計算することにより得られる物質の価値である。
【００３４】
投資の方法およびシステムの様々な実施形態について、単なる例として、添付図面を参照して本明細書において説明する。
【図面の簡単な説明】
【００３５】
【図１】投資証券の実施形態の図である。
【図２】商品を取引する方法の一般化されたフローチャートである。
【図３】価格インデックスの計算の図である。
【図４】投資方法の一般化されたフローチャートである。
【発明を実施するための形態】
【００３６】
好ましい実施形態の説明
様々な実施形態による投資の方法およびシステムの原理および動作は、図面およびそれに付随する説明を参照することによりよく理解することができる。
【００３７】
これより図面を参照すると、図１は、真水に投資する金融証券の図である。担保１０１は、自治体１０２が所有する大量の真水である（例えば、自治体１０２はミシガン州であり得、担保１０１は湖であり得る）。担保１０１の有価値物質は真水である。担保１０１の水は大きな価値を有し、容易に入手可能であるが、それにも関わらず、自治体１０２は、法的規制および取水率等により、担保１０１の水を公然と販売することができないことが当業者には理解されるであろう。それにも関わらず、自治体１０２は、プロジェクトを進めるために収入および資本を必要とする（担保１０１の使用を保護または促進するプロジェクト、例えば、下水処理工場、マリーナの建築、またはポンプ設備の建築を含む）。したがって、自治体１０２は、ブローカ１２０を介して水利権を取引のために市場に出し、ローンのセキュリティとして使用できるコミッションならびにクレジットを受け取る。
【００３８】
担保１０１の水の価値は、水取引が政府法律、免許制、政府独占、税、および助成により規制されるため、評価が難しい。したがって、水は自由に取引可能ではなく、一貫した価格を有さない。したがって、ブローカ１２０は、水のインデックス値１０４を計算するために使用される標準インデックス１３０を利用する（例えば、図に示すように＄１．０７／ｍ３）。このような価値を計算するために、ブローカ１２０は、様々な場所での水の価値ならびに製品内に水を含むか、または水を利用する自由に取引可能な製品内の水の仮想価値（例を本明細書において後述する）に対する計算に基づく。インデックス値は、デスクトップコンピュータのメモリに記憶され、コンピュータのプロセッサにより計算される。製品の市場シェアおよび価格を決定するためのデータは、インターネットを介して入手可能な統計に由来する（例えば、統計は、商品市場、先物市場、証券取引［例えば、ニューヨーク、ロンドン、東京の］に関連するウェブサイトから取得することができ、したがって、リアルタイムで容易に更新可能である）。あるいは、統計は、公開される統計から、または政府機関から発表される統計から定期的から更新することができる。
【００３９】
ブローカ１２０は、担保１０１の水についての証書１０６（あるいは、別の金融証券、例えば、債権、シェア、株、先物を使用してもよい）を発行し、インデックス値１０４に従って証書１０６を販売する。図１の例では、インデックス値１０４は＄１．０７／ｍ３であるため、ブローカ１２０は、１０００ｍ３分の証書１０６を＄１０７０に２％の手数料を足した金額で販売する。投資家１０８（証書１０６を購入した）は、自治体１０２が１０００ｍ３の水を投資家１０８に送ること要求することにより（投資家１０８が輸送費および取扱費を負担する）、証書１０６を償還することもでき、またはインデックス値１０４が上昇すると想定して、証書１０６を保有し、上昇してから、証書１０６を別の投資家に販売し（恐らくはブローカ１２０を介して）、利益（任意の仲介料委金を差し引いた）を集めることもできる。
【００４０】
図２は、商品を取引する方法の一般化されたフローチャートである。ブローカは、資本化された資源を探索する。例えば、世界中で利用可能な大量の真水があり、水に対するニーズがあるが、この資源を開発するか、または保護するのに十分な資本がない。したがって、ブローカは真水を取引することを選ぶ（ブロック２１１）。ブローカはここで、担保として取得可能な真水の権利を特定しなければならない（ボックス２１３）。図２の例では、ブローカは、ブラジルには、大量の入手可能な水を有する沢山の自然の湖があることを発見する。次に、評価する領域を定義する必要がある（ボックス２１５）。例えば、メキシコおよび米国中東部（水不足であり、かつアマゾンからの水を容易に輸送可能な場所）での水の価値に従って水を評価することが可能であり、あるいは、水の世界価格に従って水を評価することが可能である。ブローカは、水の国際価値（世界的）に従って真水にインデックスを付けることを選ぶ。特に、ブローカはまず、世界市場での水の主要製品を確立し（ブロック２１７）、各製品の重みを特定し（ブロック２１９）、各製品の価格を確認し（ブロック２２０）、各製品に従って物質の価値を計算し（ボックス２２１）、重み係数でそれぞれ重み付けされた様々な製品の複合価格に基づいて物質のインデックス値を計算する（ボックス２２２）。製品を確立し（ボックス２１７）、重みを特定し（ボックス２１９）、価格を計算し（ボックス２２０）、価値を計算し（ボックス２２１）、インデクス値を計算する（ボックス２２２）例を、図３および付随する説明において後述する。
【００４１】
次に、ブローカは、担保を部分（例えば、水１０００ｍ３であり得るシェアであり、担保は、当分野において既知のように、シェアまたは別の金融証券を使用して取引できる）に分割し（ボックス２２３）、インデックス値および担保の状態に従って各シェアの市場価値を決定する（ボックス２２５）（例えば、シェアの価格は、湖の水量または水の場所および入手し易さを考慮に入れることができる）。例えば、インデックス値が１．０７米ドル／ｍ３であり、湖のシェアが１０００ｍ３を含む場合、シェアの市場価値は１０７０米ドルであり得る。次に、ブローカは、担保を取引する権利を取得する（ボックス２２７）。例えば、ブローカは、湖を保有する自治体と先物契約または供給契約を結ぶことにより、担保に対する権利を取得する（ブロック２２７）。次に、ブローカは、担保のシェアを市場価値に手数料を加えた金額で投資家に販売する（ボックス２２９）。
【００４２】
インデックス値は、時々更新される。特に、定期的に、アルゴリズムが、担保の状態を更新すべきときであるか否かをチェックし（ボックス２３５）（例えば、これは、毎年、毎月、またはインデックスの拡張もしくは調整が必要なときにいつでも行われ得る）、「はい」の場合、専門家の評価人が、水の量、品質、および利用可能性に関して担保を評価し（ボックス２３６）、担保の価値が調整され（ボックス２３７）、次に、新たに必要な任意の担保が特定され（ボックス２１３）、そのシェア証書が、各証書が有効な資産により保護され、必要であれば、新たな担保が特定される（ボックス２１３）ことを確実にするように調整される（ボックス２３９）。担保を調整すべきときではない場合（ボックス２３５での「いいえ」）、アルゴリズムは、重み（ＷｘおよびＷｘｉ［例えば、図３の行３６２および３６３ａ〜ｆのそれぞれを参照のこと］）を更新するときになったか否かチェックする（ボックス２３３）（例えば、これは毎月または毎日行われ得る）。「はい」の場合、重みは、世界中の様々な商品の取引量についての国際取引阻止器の定期的な報告書に従って特定される（ボックス２１９）。「いいえ」の場合、アルゴリズムは、製品の価格を更新するときになったか否かをチェックする（ボックス２３１）（例えば、図３の行３６４ａ〜ｆを参照のこと）。「はい」の場合、製品の価格が確認される（ボックス２２０）。製品の価格は、インターネット上または他のソースから入手可能な所品価格に従って、日毎、時間毎、またはリアルタイムで更新することができる。「いいえ」の場合、取引が続けられる（例えば、担保の権利を販売する２２９）。
【００４３】
図３は、製品の重みおよび商品の価値の計算例の結果を示す。図３の例では、８個の製品（水製品）が選ばれる２１１。各水製品（Ａ、Ｑ、Ｕ、Ｈ、Ｉ、Ｅ、Ｔ、およびＢ：輸出用、国内用、脱塩、ボトル入り、精製、食用作物、および生物燃料）について、製品の重みＷｘ（行３６２）は、その製品により表される水市場の部分である。次に、各製品について、１つまたは複数の代表的なケースが選ばれる。代表的な各ケースについて、ケース重みＷｘｉ（行３６３ａ〜ｆ）が特定され、ケース値ｘｉ（行３６４ａ〜ｆ）がそれぞれ確認される。
【００４４】
図３の例では、ブローカは、取引データを参照することにより、選ばれた領域では、水取引の５％が輸出用（Ｗａ＝０．０５）であり、５０％が国内消費（Ｗｑ＝０．５）用であり、９．９５％が脱塩からのものであり（Ｗｕ＝０．０９９５）、０．０５％がボトル入りであり（Ｗｈ＝０．０００５）、５％が精製され（Ｗｉ＝０．０５）、２０％が食用作物内に仮想水として含まれ（Ｗｔ＝０．２）、１０％が生物燃料の製造に仮想水として含まれるＷｂ＝０．１ことを決定する２１９。したがって、この例では、水のインデックス価格３６９は、部分的に（Ｗｔ＋Ｗｂ＝３０％）水の仮想価格に依存する。
【００４５】
あるいは、インデックス値の計算は、紙等の製造製品に使用される仮想水を含むこともできる。（水が、木のコロイドを懸濁するために使用されると共に、クリーニング工程および仕上げ工程で使用される）。
【００４６】
農業部分を考えると、水は、オレンジジュース、とうもろこし等の農業商品の生産に利用される。それにも関わらず、１）大半の灌漑水は自然源（個人の井戸／川／雨）から直接取水され、決して捕捉されず、２）灌漑水は高度に規制され、助成されるため、灌漑水をインデックスの計算に含めることは困難である。仮想水は、生産に利用されるが、実際には製品の部分ではない水量を指す。７００〜３５００リットルの作物水が、１ｋｇのシリアルを生産するために利用される。したがって、農業商品を購入することは本質的に、水を購入することを含む。水の仮想価格を農業商品に含めることにより、ブローカは、価格に影響する政府の関与がほとんどない市場力に依存する水の価格を決定する。これにより、ブローカは、安定した市場に基づく水のインデックス値３６９を構築することが可能である。
【００４７】
各製品のグローバル市場重み係数Ｗが特定される２１９。より具体的には、図３の例では、グローバル市場重み係数Ｗａ、Ｗｑ、Ｗｕ、Ｗｈ、Ｗｉ、Ｗｔ、およびＷｂ（行２６２）（図３の例では、市場重みは、輸出、屋内、脱塩、ボトル入り、精製、食用作物、および生物燃料のそれぞれの市場部分である）が、入手可能な統計を使用して、固定アルゴリズムに基づいて計算される。
【００４８】
図３の実施形態では、Ｗｔ１、Ｗｔ２、Ｗｔ３（行２６３ｅ）（各食用作物内の仮想水の事例重み）は、商品に物理的に含まれる水の量（製品を構成する水の量）に基づくが、商品を生産するために利用された水量に基づかないことに留意する。したがって、例えば、特定の市場は、１３００ｍ３の水を含む食用作物の取引を含む。この取引では、５００，０００Ｋｇの小麦がある（小麦は６０％が水であり、水の密度は１０００Ｋｇ／ｍ３であるため、５００，０００Ｋｇの小麦は、５００＊０．６＝３００ｍ３の水を含む）。そうすると、Ｗｔ３＝（５００＊０．６）／１３００＝０．２３である。同様に、合計水市場（選ばれたすべての水製品で取引される水の合計）は６５００ｍ３であり、取引される食用作物何含まれる水の合計は１３００ｍ３である。したがって、水のインデックス値内の農業仮想水の市場重みは、食用作物内に含まれる合計水市場の部分Ｗｔ＝１３００／６５００＝０．２である。
【００４９】
図３の例では、食用作物内の水の仮想価値３６５ａは以下のように計算される。
【００５０】
ニューヨークでのトウモロコシ商品の価格は、４００米ドル／トンであり、トウモロコシは７５％の水を含み、１トン当たり１５００ｍ３の灌漑水を利用する。
【００５１】
ｔ１＝４００＊０．７５／１５００＝０．２米ドル／ｍ３が、トウモロコシ内の水の仮想価値である。
【００５２】
ニューヨークでのコーヒー商品の価格は、９５０米ドル／トンであり、コーヒーはその５５％が水であり、１トン当たり３５００ｍ３の灌漑水を利用する。したがって、
ｔ２＝９５０＊０．５５／３５００＝０．１５米ドル／ｍ３が、コーヒー内の水の仮想価値である。
【００５３】
ニューヨークでの小麦商品の価格は、５００米ドル／トンであり、小麦は６０％の水を含み、１トン当たり１０００ｍ３の灌漑水を利用する。
ｔ３＝５００＊０．６／１０００＝０．３米ドル／ｍ３が、小麦内の水の仮想価値である。
【００５４】
取引される合計農業商品からの各商品の事例重み（行３６３ｅ）を考慮に入れることにより、食用作物内の水の仮想価値が与えられる：価格Ｔ＝Ｗｔ１＊ｔ１＋Ｗｔ２＊ｔ２＋Ｗｔ３＊ｔ３＝０．２７＊＄０．２＋０．５＊＄０．１５＋０．２３＊＄０．３＝０．２０米ドル／ｍ３  ３６５ａである。したがって、農業食用製品内の水の仮想価格Ｔは、各農業食用製品の市場重み、農業食用製品の市場価格、および製品内に利用される水の量に依存する。
【００５５】
水の仮想価値をインデックス式に含めることにより、ブローカは、他の商品（製品）内の規制されない水の取引を含む水の代表的な統合価値を計算する。
【００５６】
また、図３の例では、脱塩水製品Ｕについて、選ばれた評価領域（世界の水取引）において、合計水取引の９．９５％である６４７ｍ３が脱塩水であることが分かる。世界の脱塩水の２０％は、工業都市で使用され：Ｗｕ１＝０．２０、選ばれた代表事例は、ｕ１＝０．８０米ドル／ｍ２のコストで脱塩水を生産するオーストラリアのパースである。世界中の脱塩水の５０％は、バケーションエリアおよび諸島で使用され：Ｗｕ２＝０．５０、選ばれた代表事例は、ｕ２＝１．５０米ドル／ｍ３の価格で脱塩水を生産するバミューダである。世界中での脱塩水の３０％は、産油国で使用され：Ｗｕ３＝０．３０、選ばれた代表事例は、ｕ３＝４．００米ドル／ｍ３の価格で脱塩水を生産するサウジアラビアである。重みは毎月更新されるのに対して、代表価格は毎週更新される。したがって、脱塩水の価格Ｕ＝Ｗｕ１＊ｕ１＋Ｗｕ２＊ｕ２＋Ｗｕ３＊ｕ３＝０．２＊＄０．８０＋０．５＊＄１．５０＋０．３＊＄４．００＝２．１１米ドル／ｍ３  ３６８である。
【００５７】
生物燃料に含まれる仮想水は、水取引の別の部分である。図３の例では、３つの生物燃料の結合市場重みは、水の合計世界市場の１０％である：Ｗｂ＝０．１。
【００５８】
バイオディーゼル（廃油または油分の多い植物、特に藻類から生産される）、バイオメタン（有機性廃棄物の嫌気性消化により生産される）、およびエタノール（セルロース廃棄物または穀物の発酵から生産される）のような多くの燃料は、あまり水を含まない。したがって、燃料の水含量分は、重み係数Ｗｂの計算に使用されない。Ｗｂの代替の２つの例は、生物燃料の合計質量／容量または生物燃料の燃焼から生じる水の量である。液体燃料の場合（バイオディーゼルおよびエタノールのような）、生物燃焼の合計容量または質量を重み係数Ｗｂの計算に使用することができる。あるいは、容積および重量が水の含有量または液体燃料の合計容量と比較できない任意の生物燃料、特に気体の生物燃料の場合（例えば、メタン）、製品の燃焼で生じる水の容量が、Ｗｂの計算に使用され得る（あるいは、生物燃焼の場合、Ｗｂは、燃料の燃焼により生じるエネルギー出力、または比例係数で乗算された、燃料の他の何等かの燃焼生成物または成分［例えば、炭素］に基づいてもよい）。したがって、生物燃料の合計市場は６５０ｍ３を含み、これは、合計水取引６５００ｍ３のうちの１０％として扱われる。販売されたエタノールの容量は３９０ｍ３であり（Ｗｂ１＝３９０／６５０＝０．６）、販売されたバイオディーゼルの容量は２６０ｍ３である（Ｗｂ２＝１９５／６５０＝０．３）。図３の例では、バイオメタン内の水取引量（重み係数Ｗｂ３がこれに基づいて計算される）は、メタンの燃焼の出力に基づいて計算される。Ｗｂの計算に燃焼出力を使用することにより、非常に異なる濃度を有し得る様々な生物燃料の比較を容易にすることができる（あるいは、エネルギー生成または炭素成分、他の比較ベースを使用してもよい）。特に、図３の例では、市場は、３８８００ｍ３のバイオメタンの取引を含む。メタンは、室温で密度０．６７Ｋｇ／ｍ３を有し、１Ｋｇのメタンを燃焼させると、約２．５Ｋｇの水が生じる。したがって、３８８００ｍ３のメタンを燃焼させると、３８８００＊０．６７＊２．５／１０００＝６５ｍ３の水が生じる。したがって、Ｗｂ３＝６５／６５０＝０．１である。
【００５９】
生物燃料の水の仮想価格は、燃料の生産への水入力に基づく。トウモロコシから１トンのエタノールを生成するには、３６００ｍ３の水が利用され、エタノールの価格は８８０＄／トンであり、したがって、エタノール内の水の仮想価格はｂ１＝＄８００／３６００＝０．２２米ドル／ｍ３である。バイオディーゼル（水が、藻類の池を維持するために必要とされる）に対する同様の計算により、水の仮想水価値ｂ２＝０．１５米ドル／ｍ３が与えられる。図３の例では、バイオメタン内の水の仮想価値は、生産に利用される水量に基づく。メタンのコストは３．００米ドル／ｍ３であり、１ｍ３のバイオメタンを生成するには、７．０ｍ３の水が（消化機の稼働した状態を保つために）利用されるため、バイオメタン内の水の仮想価値は、ｂ３＝３．０／７．０＝０．４３米ドル／ｍ３である。したがって、生物燃料Ｂ内の水の結合仮想価値は、各製品の市場重み（燃料の合計質量または燃料燃焼の際の水出力）および燃料の生産に利用される水量に依存する：Ｂ＝Ｗｂ１＊ｂ１＋Ｗｂ２＊ｂ２＋Ｗｂ３＊ｂ３＝０．６＊＄０．２２＋０．３＊＄０．１５＋０．１＊＄０．４３＝０．２２米ドル／ｍ３  ３６５ｂである。
【００６０】
あるいは、生物燃料の燃焼から出力されるＣＯ２または生物燃料の炭素成分量を、すべての生物燃料の重み係数を計算するための共通ベースとして使用してもよい。
【００６１】
各製品の重みおよび各製品内の水の価値および製品のクラスが計算されると、価格を各重みで乗算して、結合値が与えられる。図３の例では、Ｗａ＊Ａ＋Ｗｑ＊Ｑ＋Ｗｕ＊Ｕ＋Ｗｈ＊Ｈ＋Ｗｉ＊Ｉ＋Ｗｔ＊Ｔ＋Ｗｂ＊Ｂ＝０．０５＊０．９２＋０．５＊０．７７＋０．０９９５＊２．１１＋０．０００５＊２００＋０．０５＊１．７５＋０．２＊０．１９８＋０．１＊０．２２＝０．８９米ドル／ｍ３  ３６６である。この価格は、輸送費Ｎ＝０．０１米ドル／ｍ３（例えば、水を水源から宛先に輸送する平均費用）、解約手数料費Ｄ＝０．０３米ドル／ｍ３（例えば、水の輸入者が水を他の自治体から取水するために支払う平均解約手数料）、およびリサイクル率であるＥ＝−０．０１５米ドル／ｍ３（いくらかの排水が流通システムに再び入る［地下水への浸透／川に流れ込む／または工業用水再利用により］ことを考慮に入れる）を加算することにより調整され、調整された価格は０．９１米ドル／ｍ３  ３６７になる。最後に、調整された価格を供給需要係数Ｚ＝１．１２（水証書の販売者が沢山存在し、購入者が少ない場合、価格は上方調整され、販売者の数が購入者数を上回る場合、価格は下方調整される）および水源と顧客との間での水損失による顧客に対する価格の増大を考慮に入れた損失係数（１．０５）で乗算することにより、最終価格が分かる。したがって、図３の例での水のインデックス値は、１．０７米ドル／ｍ３  ３６９である。
【００６２】
図３のインデックス値３６９（上述）を使用して、企業は、インデックス値での水の価値に対する持ち分を証するものまたは水購入契約を取得する。企業は、水インデックス値に基づいて、水バスケット株の形態で契約を配布する。企業は、金融機関または投資会社と、水バスケット株を顧客に配布し、その取引から合意できるコミッションおよび担保を取得することを契約することができる。
【００６３】
あるいは、物質の仮想価値は、代替商品である物質の製品が存在する商品のコストに基づいて計算することもできる。例えば、ガソリンの価格から、水の仮想価値を計算することが可能である。エタノールはガソリンの代替物であり、エタノール生成のコストの大部分は水であるため、ガソリンの価格に基づいて、水の仮想価格を計算することが可能である。例えば、ガソリンの価格が＄７００／トンであり、エタノールはガソリンの代替物であり、生長のために３６００ｍ３の水を利用するトウモロコシから１トンのエタノールを生成することができるため、ガソリンの価格に基づく水の仮想価値は、＄７００／３６００＝Ｂ＝０．１９米ドル／ｍ３である。
【００６４】
図４は、投資方法を示すフローチャートである。投資家はまず、投資する商品（例えば、真水）を選び（ボックス４７０）、次に、商品のシェアまたは他の金融証券（例えば、債権、証書、先物、株、バスケット）を販売しているブローカを見つける（ボックス４７２）。次に、投資家は、ブローカにより計算された商品のインデックス値（ボックス４７４）（例えば、図３および付随する説明において説明されるようなインデックス値３６９）を使用する。計算されたインデックス値に従って、投資家は、投資すべきか否かを判断する（ボックス４７６）。「はい」の場合、投資家はブローカからシェアを購入する（ボックス４７８）。「いいえ」の場合、投資家は、投資する別の商品を選ぶ（ボックス４７０）。
【００６５】
まとめると、様々な実施形態例をかなり詳細に説明したが、変形および変更ならびに他の実施形態が可能である。したがって、添付の特許請求の範囲の主旨および範囲は、本明細書に含まれる実施形態の説明に限定されない。
【図１】
0005464555.tif 000002
【図２】
0005464555.tif 000003
【図３】
0005464555.tif 000004
【図４】
0005464555.tif 000005